(57)【要約】【課題】  ユーザが意図しないデータ通信による不要な通信費用の発生を防止する。【解決手段】  パーソナルコンピュータ１は近距離無線通信により移動体通信端末２と接続し、移動体通信端末はＣＤＭＡエアーインターフェースにより携帯電話基地局３と接続可能となされている。移動体通信端末２は、パーソナルコンピュータ１に対するユーザアクティビティと、パーソナルコンピュータ１との間のトラフィックアクティビティを監視する。そして、ユーザアクティビティが一定期間無く、トラフィックアクティビティも一定トラフィック量を下回り、その状態が一定時間のタイマが満了するまで続いた時、移動体通信端末２は、基地局３との間のＣＤＭＡエアーインターフェースを切断する。【選択図】  図６
2010021723.tif 000002
【特許請求の範囲】
【請求項１】
所定の通信網と通信するための網通信部と、
近距離無線通信を行うための近距離無線通信部と、
上記近距離無線通信により接続された外部通信装置に対する少なくとも操作の有無を検出する操作検出部と、
上記近距離無線通信により接続された外部通信装置との間のデータトラフィック量を計測するトラフィック量計測部と、
上記操作検出部による検出出力と上記トラフィック量計測部によるデータトラフィック量計測出力とに応じて、少なくとも上記網通信部による通信の接続を制御する制御部と、
を有する通信端末。
【請求項２】
上記制御部は、上記外部通信装置に対する操作が上記操作検出部にて所定期間検出されず、且つ、上記トラフィック量計測部が計測したデータトラフィック量が所定閾値を下回った状態が一定時間を超えた時、少なくとも上記網通信部による通信を切断する請求項１記載の通信端末。
【請求項３】
上記制御部は、上記外部通信装置に対する操作が上記操作検出部にて所定期間検出されず、且つ、上記トラフィック量計測部が計測したデータトラフィック量が所定閾値を下回った時、少なくとも上記網通信部による通信の接続に関する確認用の所定メッセージを、所定のユーザインターフェースを用いて利用者に通知する請求項２記載の通信端末。
【請求項４】
上記網通信部は、上記所定の通信網として携帯電話通信網に接続する請求項１記載の通信端末。
【請求項５】
上記操作検出部は、上記近距離無線通信部を通じて接続された外部通信装置から送信されてくる上記操作に関連した所定のコマンドにより、上記操作の有無を検出する請求項１記載の通信端末。
【請求項６】
上記トラフィック量計測部は、上記近距離無線通信部を通じて接続された外部通信装置との間で送受信されるデータの総数を計測することにより上記データトラフィック量を求める請求項１記載の通信端末。
【請求項７】
少なくとも所定の通信網と通信端末との間の接続を実行及び管理する基地局と、
通信端末との間で近距離無線通信を行う外部通信装置と、
上記所定の通信網に接続するための網通信部と、近距離無線通信部とを備え、上記近距離無線通信部により接続された外部通信装置に対する少なくとも操作の有無を検出すると共に、上記近距離無線通信部により接続された外部通信装置との間のデータトラフィック量を計測し、上記操作の有無の検出出力と上記データトラフィック量の計測出力とに応じて、少なくとも上記網通信部による通信の接続を制御する通信端末と、
を有する通信システム。
【請求項８】
近距離無線通信部が外部通信装置との間で近距離無線通信を行うステップと、
上記近距離無線通信により接続された外部通信装置に対する少なくとも操作の有無を、操作検出部が検出するステップと、
上記近距離無線通信により接続された外部通信装置との間のデータトラフィック量を、トラフィック量計測部が計測するステップと、
上記操作検出部による検出出力と上記トラフィック量計測部によるデータトラフィック量計測出力とに応じて、制御部が、所定の通信網と通信するための網通信部における通信の接続を制御するステップと、
を有する通信制御方法。
【請求項９】
近距離無線通信部を通じた近距離無線通信により接続された外部通信装置に対する少なくとも操作の有無を検出する操作検出部と、
上記近距離無線通信により接続された外部通信装置との間のデータトラフィック量を計測するトラフィック量計測部と、
上記操作検出部による検出出力と上記トラフィック量計測部によるデータトラフィック量計測出力とに応じて、所定の通信網と通信するための網通信部における通信の接続を制御する制御部として、
通信端末を動作させる通信制御プログラム。
【発明の詳細な説明】
【技術分野】
【０００１】
本発明は、携帯電話端末等の通信端末と、その通信端末を利用して外部通信装置がデータ通信を行う通信システムと、その通信の際の通信制御方法及び通信制御プログラムに関する。
【背景技術】
【０００２】
従来より、移動体通信端末の代表例である携帯電話端末を介してダイヤルアップ接続を行うことにより、例えばノート型等のパーソナルコンピュータを用いて様々な場所からインターネット等に接続するようなデータ通信が行われている。
【０００３】
ここで、現状の携帯電話サービスでは、上述のような携帯電話端末を利用したダイヤルアップ接続によるデータ通信に対しては、いわゆる定額制等のような上限が決められた料金体系（課金体系）が用意されていないことが多い。このため、当該データ通信時の通信費は非常に高額になる可能性が高い。このようなことから、従来より、上述のようなデータ通信のための接続が行われる時には、例えば「料金が高額になります」等のメッセージをポップアップ表示等することにより、利用者に注意を促すようになされている。
【０００４】
なお、特開２００６−１４８８６４号の公開特許公報（特許文献１）には、車載ハンズフリー装置と携帯電話機とを、Ｂｌｕｅｔｏｏｔｈ（登録商標、以下同様であり「登録商標」の記載は省略する。）等のような近距離無線通信により接続することが記載されている。また、この公開特許公報には、車載ハンズフリー装置が、近距離無線通信にて接続された携帯電話機の電話通信機能を利用して、インターネット等に接続し、ウェブブラウジング等を行うことが記載されている。
【０００５】
その他、特開平６−３３４６００号の公開特許公報（特許文献２）には、親機と子機からなるコードレス電話装置において、子機側にて所定時間内にキーパッド部が操作されなかった時、親機は電話回線を切断するような技術が開示されている。
【０００６】
【特許文献１】特開２００６−１４８８６４号公報（図３）
【特許文献２】特開平６−３３４６００号公報（図１）
【発明の開示】
【発明が解決しようとする課題】
【０００７】
ところで、携帯電話端末を利用したダイヤルアップ接続によりパーソナルコンピュータがデータ通信を行う場合において、それら両装置間の接続形態としては、有線接続と無線接続が考えられる。なお、有線接続としては、例えばＵＳＢ（Universal Serial Bus）ケーブル等を用いた接続があり、無線接続としては、例えばブルートゥース等の近距離無線通信を用いた接続がある。
【０００８】
ここで、上記有線接続の場合は、パーソナルコンピュータと携帯電話端末がケーブルにより物理的に繋がれることになる。このため、利用者は、それらパーソナルコンピュータと携帯電話端末の間がデータ通信可能な状態のままになっているかどうかを比較的容易に知ることができる。
【０００９】
これに対し、近距離無線通信のような無線接続の場合は、パーソナルコンピュータと携帯電話端末が物理的なケーブル等により繋がれるわけではないため、それら両装置間がデータ通信可能な状態であるかどうかを、利用者が認識し難い。特に、例えば携帯電話端末が鞄等の中に仕舞われているようなケースを想定した場合、利用者は、パーソナルコンピュータと携帯電話端末の現在の状態が、データ通信可能な状態になっているかどうか気付き難いと思われる。言い換えると、近距離無線通信のような無線接続の場合は、パーソナルコンピュータと携帯電話端末の間の接続が切り忘れられた状態になる可能性が比較的高いと思われる。そして、このように接続が切断し忘れられているような場合には、ユーザが意図していない通信費用が発生してしまう虞がある。すなわち、パーソナルコンピュータは、ＯＳ（Operating System）やアプリケーション等が定期的に外部とデータ通信を行うことがあり、例えば無線接続を切断し忘れているような場合に、上記定期的なデータ通信が行われたとすると、ユーザが意図しない通信費用が発生してしまうことになる。
【００１０】
本発明は、このような実情に鑑みて提案されたものであり、ユーザが意図しないデータ通信による不要な通信費用の発生を防止可能とする通信端末、通信システム、通信制御方法及びプログラムを提供することを目的とする。
【課題を解決するための手段】
【００１１】
本発明の通信端末は、所定の通信網と通信するための網通信部と、近距離無線通信を行うための近距離無線通信部とを有する。また、本発明の通信端末は、近距離無線通信により接続された外部通信装置に対する少なくとも操作の有無を検出し、また、その外部通信装置との間のデータトラフィック量を計測する。そして、本発明の通信端末は、それら操作検出出力とデータトラフィック量計測出力とに応じて、少なくとも網通信部による通信の接続を制御する。これにより、本発明は上述した課題を解決する。
【００１２】
特に、本発明では、外部通信装置に対する操作が所定期間検出されず、且つ、データトラフィック量が所定閾値を下回った状態が一定時間を超えた時、少なくとも網通信部による通信を切断する。
【００１３】
すなわち本発明において、外部通信装置に対する操作が所定期間検出されず、且つ、データトラフィック量が所定閾値を下回った状態が一定時間を超えた時には、利用者が通信の切断をし忘れたと判断して差し支えないと思われる。そして、その場合は、特に網通信部による通信を自動的に切断することで、通信料金が発生しないようにする。
【発明の効果】
【００１４】
本発明においては、近距離無線通信で接続された外部通信装置への操作の有無と、その外部通信装置との間のデータトラフィック量とに応じて、所定通信網への通信接続を制御することで、ユーザが意図しない通信による不要な通信費用の発生を防止可能としている。
【発明を実施するための最良の形態】
【００１５】
以下、図面を参照しながら、本発明の一実施形態について説明する。
【００１６】
本実施形態では、本発明の通信システムの一例として、携帯電話端末等の移動体通信端末とパーソナルコンピュータとを有したシステムを挙げている。また、本実施形態では、移動体通信端末とパーソナルコンピュータとが、例えばＢｌｕｅｔｏｏｔｈ等の近距離無線通信により無線接続可能となされた例を挙げている。また、本実施形態では、パーソナルコンピュータがインターネット等の外部ネットワーク等に接続する際には、上記近距離無線通信にて接続された移動体通信端末を介したダイヤルアップ接続が行われる例を挙げている。さらに、本実施形態では、移動体通信端末が携帯電話網の基地局と接続する際には、いわゆるＣＤＭＡ（Code Division Multiple Access）エアーインターフェースによる接続がなされる例を挙げている。勿論、本実施形態はあくまで一例であり、本発明はこれらの例に限定されないことは言うまでもない。
【００１７】
［移動体通信端末とパーソナルコンピュータ間の通信］
図１には、本発明実施形態の移動体通信システムの概略的な構成例を示している。
【００１８】
図１に示す本実施形態の移動体通信システムにおいて、パーソナルコンピュータ１と移動体通信端末２とは、ブルートゥース等の近距離無線通信により接続可能となされている。すなわち、本実施形態の移動体通信システムは、パーソナルコンピュータ１と移動体通信端末２との間が、接続ケーブル等の不要な近距離無線通信にて接続されているため、利用者にとって使い勝手が良く快適なデータ通信環境を実現可能となっている。
【００１９】
また、本実施形態において、移動体通信端末２は、図示しない携帯電話基地局との間で、いわゆるＣＤＭＡエアーインターフェースによる接続を行う。したがって、近距離無線通信で接続されたパーソナルコンピュータ１がインターネット等の外部ネットワークへ接続する場合、移動体通信端末２では、ＤＵＮプロファイル（DUN：Dial-Up Network）を使用したダイヤルアップ接続が行われる。なお、パーソナルコンピュータ１が外部ネットワークと通信している際、移動体通信端末２は、いわゆるＴＣＰ（Transmission Control Protocol）フレーム上で通信を行う。
【００２０】
また、本実施形態の移動体通信システムにおいて、パーソナルコンピュータ１からの送信データや外部ネットワークからの受信データが一定時間無い（つまりトラフィックが無い）場合、移動体通信端末２は、上記ＣＤＭＡエアーインターフェースによる通信を切断するようになされている。そして、移動体通信端末２は、当該ＣＤＭＡエアーインターフェースによる通信切断後には、ＰＰＰ（Point-To-Point Protocol）接続を維持したまま休眠（Dormant）状態に遷移するようになされている。
【００２１】
上述のようにして休眠状態へ遷移した後、パーソナルコンピュータ１からの送信データがあった場合、移動体通信端末２は、発呼処理を行い、ＣＤＭＡエアーインターフェースによる通信の再接続を実施する。なおこの時、上記ＰＰＰ接続も切断されているような場合には、移動体通信端末２は、当該ＰＰＰの再接続処理も実施する。そして、移動体通信端末２は、上記ＣＤＭＡエアーインターフェースによる再接続が正常に行われると、上記ＴＣＰフレーム上で通信を再開する。これにより、休眠状態に移行した後でも、パーソナルコンピュータ１からの送信データがあった場合には、その送信データが外部ネットワークへ送られることになる。
【００２２】
また上記休眠状態へ遷移した後、外部ネットワーク側からの受信データがあった場合、移動体通信端末２に対してはパケット着信が発生する。当該パケット着信を受けた移動体通信端末２は、ＣＤＭＡエアーインターフェースによる通信の再接続を実施する。なおこの時、ＰＰＰ接続も切断されているような場合には、移動体通信端末２は、当該ＰＰＰの再接続処理も実施する。そして、移動体通信端末２は、上記ＣＤＭＡエアーインターフェースによる再接続が正常に行われると、上述同様にＴＣＰフレーム上で通信を再開する。これにより、休眠状態に移行した後でも、外部ネットワークからの受信データがあった場合には、その受信データがパーソナルコンピュータ１に送られることになる。
【００２３】
ここで、パーソナルコンピュータ１は、前述したように、例えば利用者が何も操作等をしていない状態であっても、例えばＯＳやアプリケーションが定期的にデータ通信を行うことがある。このため、当該定期的なデータ通信が発生すると、前述したように、利用者が意図しない通信費用が発生してしまう虞がある。
【００２４】
なお、利用者の意図しないデータ通信が発生する場合、当該データ通信を終了させるための操作を利用者に対して要求し、その操作がなされた時にデータ通信を停止させることにより、上記意図しない通信費用の発生を抑えるような対処法が考えられる。すなわち一例として、ＣＤＭＡの場合、通信方式としてパケット方式が採用されているため、通信パケットデータ量を移動体通信端末２の内部で監視し、そのデータ量が一定量に達した時に、データ通信を終了させるかどうかの確認を求める表示等を行うような対処法が考えられる。但し、この対処法の場合、利用者が意図しているデータ通信時にも、データ量が一定量に達する毎に上記確認のための表示等がなされるため、利用者にとって逆に煩わしいものとなる可能性がある。
【００２５】
［意図しないデータ通信の発生を防止するための本実施形態の具体的手法］
本発明実施形態では、移動体通信端末２において、パーソナルコンピュータ１側のユーザーアクティビティと、トラフィックアクティビティとを監視し、その監視結果から、利用者が通信を切り忘れたか否か判断するようになされている。そして、利用者が通信を切り忘れたと判断した場合、移動体通信端末２は、ＣＤＭＡエアーインターフェースによる接続を自動切断する。これにより、本実施形態では、利用者が意図していない課金の発生を防止している。
【００２６】
本実施形態では、移動体通信端末２において、以下の処理を実行することにより、上記パーソナルコンピュータ１側のユーザーアクティビティと、トラフィックアクティビティとの監視、それらの監視結果に基づく通信切り忘れの判定、切り忘れ時の接続自動切断の各工程を実現している。
【００２７】
先ず、ユーザアクティビティの監視とユーザアクティビティの有無について説明する。
【００２８】
本実施形態において、移動体通信端末２は、ＤＵＮプロファイルで使用されるＡＴ（ATtention）コマンドを利用して、パーソナルコンピュータ１側のユーザーアクティビティを監視する。
【００２９】
ここで、ＤＵＮプロファイルでは、マンダトリー（mandatory）のＡＴコマンドが定義されており、例えばＧＳＭ（Global System for Mobile Communications）０７．０７仕様で定義されたＡＴコマンドを使用することが容認されている。また、ＧＳＭ０７．０７では、「Ｋｅｙｐａｄ  ｃｏｎｔｒｏｌ  ＋ＣＫＰＤ」と表記されるＡＴコマンドが定義されている。このＡＴコマンドは、本来、データターミナル側（パーソナルコンピュータ側）で、どのキーがどのようなタイミングで操作されたかを、ゲートウェイ側（移動体通信端末側）へ知らせる用途に用いられるものである。
【００３０】
なお、上記「＋ＣＫＰＤ」のＡＴコマンドは、以下のフォーマットで定義されており、当該フォーマット中の＜ｋｅｙｓ＞には押下されたキーコードが、＜Ｔｉｍｅ＞にはキー押下時間が、＜ｐａｓｕｅ＞にはキー押下時間間隔が設定される。
【００３１】
＋ＣＫＰＤ＝＜ｋｅｙｓ＞［，＜Ｔｉｍｅ＞［，＜ｐａｕｓｅ＞］］
つまり、移動体通信端末２側で上記「＋ＣＫＰＤ」のＡＴコマンドを受信できている場合には、パーソナルコンピュータ１が利用者により操作（ユーザアクティビティ）されていることを表している。言い換えると、移動体通信端末２側で「＋ＣＫＰＤ」のＡＴコマンドが受信されない場合には、パーソナルコンピュータ１が利用者により操作（ユーザアクティビティ）されていないことを表している。
【００３２】
したがって、当該「＋ＣＫＰＤ」のＡＴコマンドの受信の有無を見ることにより、移動体通信端末２は、パーソナルコンピュータ１側のユーザアクティビティを判断することができると考えられる。本実施形態の移動体通信端末２は、ＤＵＮプロファイルによる接続がなされた後、「＋ＣＫＰＤ」のＡＴコマンドの受信が所定の一定期間（Ｔ）無い場合には、ユーザアクティビティが無いと判断する。
【００３３】
次に、トラフィックアクティビティの監視とトラフィックアクティビティの有無について説明する。
【００３４】
本実施形態の移動体通信端末２は、自端末２とパーソナルコンピュータ１との間のデータ通信におけるトラフィックアクティビティを監視する。
【００３５】
具体的に説明すると、本実施形態の移動体通信端末２は、自端末２が近距離無線通信を通じてパーソナルコンピュータ１と通信する際のデータトラフィック量をモニタリングし、そのデータトラフィック量によりトラフィックアクティビティを監視する。
【００３６】
ここで、本実施形態におけるデータトラフィック量は、パーソナルコンピュータ１から自端末２側へ送られるデータ量と定義する。なお、自端末２からパーソナルコンピュータ１へ送られるデータ量を上記データトラフィック量に含めてもよい。
【００３７】
本実施形態の移動体通信端末２は、上記データトラフィック量が所定の一定トラフィック量ＴＲを下回った時、トラフィックアクティビティが無いと判断する。なお、本実施形態においては、上記一定トラフィック量ＴＲは、トラフィックアクティビティが無いと判断できるだけの所定の少ないデータ量と定義する。なお、上記一定トラフィック量ＴＲは、十分なトラフィックアクティビティがあると判断できるデータ量であってもよい。すなわち本実施形態において、一定トラフィック量ＴＲは、データトラフィック量がその量を下回った時に、トラフィックアクティビティが無いと判断できる閾値となされている。
【００３８】
本実施形態の移動体通信端末２は、上述したようなユーザアクティビティが無く且つトラフィックアクティビティが無いと判断された場合、図２に示すように、画面１０上に接続を切断してもよいかどうかを利用者に確認するためのポップアップメッセージを表示する。すなわち、移動体通信端末２は、「＋ＣＫＰＤ」のＡＴコマンドの受信が一定期間（Ｔ）無く且つデータトラフィック量が一定トラフィック量ＴＲを下回った場合に、「切断しても宜しいでしょうか？」等のメッセージをポップアップ表示する。当該ポップアップメッセージには、利用者が切断を望まない場合に所定のキー押下操作等により指示入力がなされる例えば「ＮＯ」のソフトキー１１も表示される。なお、接続を切断してもよいかどうかを利用者に確認するためのメッセージは、上記画面表示によるユーザインターフェースの他、例えば音声や振動等のユーザインターフェースにより利用者に知らせてもよい。
【００３９】
本実施形態の移動体通信端末２は、上記ポップアップメッセージの表示後、当該ポップアップメッセージに対する利用者からの応答待ち時間をカウントするためのポップアップ表示タイマＰＴを起動させる。
【００４０】
ここで、移動体通信端末２は、上記ポップアップ表示タイマＰＴの起動後で当該タイマＰＴの満了前に、例えばパーソナルコンピュータ１から送信データを受信した場合、その送信データを外部ネットワーク側へ送信することは行わない。すなわち、この時の移動体通信端末２は、自端末の状態が休眠状態（Dormant状態、ＣＤＭＡエアーインターフェースが切断されている状態）である場合にはその休眠状態を維持し、ＣＤＭＡエアーインターフェースによる接続は行わない。したがってこの場合、移動体通信端末２から外部ネットワーク側へのデータ通信は行われないため課金が発生することはない。なおこの場合、パーソナルコンピュータ１から送られてきた送信データは、移動体通信端末２により例えば破棄されるか若しくは一時的に内部に蓄積される。
【００４１】
また、パーソナルコンピュータ１から送信データを受信した場合において、上記ポップアップ表示タイマＰＴが満了する前に、図２の「ＮＯ」の入力指示があった場合、移動体通信端末２は、上記送信データを外部ネットワークに向けて送信する。すなわち例えば、自端末が休眠状態になっていた場合、移動体通信端末２は、ＣＤＭＡエアーインターフェースによる接続を確立させ、上記送信データを外部ネットワークへ向けて送信する。また例えば、この時点でＣＤＭＡエアーインターフェースの接続がなされていた場合（アクティブ状態の場合）、移動体通信端末２は、そのまま送信データを外部ネットワークへ向けて送信する。これにより、パーソナルコンピュータ１からの送信データは、外部ネットワークへ送信されることになる。なお、ＣＤＭＡエアーインターフェースによる接続が確立する前において、パーソナルコンピュータ１からの送信データが破棄された場合、そのデータは欠落してしまうことになる。但し、本実施形態のように、ＴＣＰフレームによるデータ通信が行われる場合には、当該ＴＣＰの再送機能が働くため、上記欠落したデータはパーソナルコンピュータ１側から再送されることになり、データの整合性は確保される。
【００４２】
一方、移動体通信端末２は、上記ポップアップ表示タイマＰＴの起動後で当該タイマＰＴの満了前に、外部ネットワークから携帯電話基地局を通じてパケット着信を受信した場合には、そのパケット着信へ応答し、ＣＤＭＡエアーインターフェースの接続状態に移行する。但し、この時の移動体通信端末２は、上記パケット着信による受信データを、パーソナルコンピュータ１側へ伝送することは行わない。すなわちこの場合、パケット着信への応答はなされるが、移動体通信端末２からパーソナルコンピュータ１へのデータ転送は行われないため、いわゆる定額制の料金体系外となる通信費用が発生することはない。なおこの場合、外部ネットワーク側からの受信データは、移動体通信端末２により例えば破棄されるか若しくは一時的に内部に蓄積される。
【００４３】
また、外部ネットワークからのパケット着信があった場合において、上記ポップアップ表示タイマＰＴが満了する前に、図２の「ＮＯ」の入力指示があった場合には、移動体通信端末２は、上記パケット着信の受信データをパーソナルコンピュータ１へ転送する。これにより、外部ネットワークからの受信データは、パーソナルコンピュータ１へ送られることになる。なお、パーソナルコンピュータ１にてデータの受信が開始される前において、外部ネットワークからの受信データが破棄された場合、そのデータは欠落してしまうことになる。但し、本実施形態のように、ＴＣＰフレームによるデータ通信が行われる場合には、当該ＴＣＰの再送機能が働くため、上記欠落したデータは外部ネットワーク側から再送されることになり、データの整合性は確保される。
【００４４】
これに対し、利用者から何の応答指示も入力されない状態で上記ポップアップ表示タイマＰＴが満了した場合、移動体通信端末２は、利用者が切断し忘れたと判断する。そして、この時の移動体通信端末２は、例えばＣＤＭＡエアーインターフェースによる接続がなされている場合（アクティブ状態）にはその接続を自動的に切断し、さらに近距離無線通信の接続をも切断する。また、既に休眠状態になっていて、ＣＤＭＡエアーインターフェースの接続が既に切断されている場合には、移動体通信端末２は、近距離無線通信の接続を切断する。
【００４５】
このように、本実施形態の移動体通信端末２によれば、利用者が切断し忘れたと判断した場合には、ＣＤＭＡエアーインターフェースによる接続と近距離無線通信による接続の両方が自動的に切断される。このため、本実施形態によれば、例えばパーソナルコンピュータ１から定期的なデータ送信がなされたり、外部ネットワークからのパケット着信があった場合でも、利用者が意図しない通信が行われることはない。
【００４６】
また、本実施形態では、ユーザアクティビティーによる判断に加えて、トラフィックアクティビティをも用いた判断を行うようになされているため、例えば以下のようなユースケースの場合に特に正しい判断を行うことができる。例えば、パーソナルコンピュータ１が大量のデータを外部ネットワークからダウンロードしているような場合、利用者は、当該ダウンロードが完了するまでパーソナルコンピュータ１を操作せずに待っていると考えられる。この場合、パーソナルコンピュータ１ではキー操作等が行われないため、ユーザアクティビティは無いと判断されることになる。しかしながら、本実施形態の場合は、トラフィックアクティビティをも判断材料としているため、上記ユーザアクティビティが無いだけでは、利用者による切断切り忘れが発生していると判断されることはない。すなわち本実施形態によれば、例えば大量のデータをダウンロードしているような場合に、利用者による接続切り忘れが発生したと誤判断されて通信が自動切断されてしまうようなことはなくなる。
【００４７】
［移動体通信端末の概略構成］
図３には、上述したような利用者が意図しないデータ通信の発生を防止可能とした本発明実施形態の移動体通信端末２の概略構成例を示す。
【００４８】
この図３において、ＣＤＭＡモデムプロセッサ２０は、ＣＤＭＡエアーインターフェースによる通信に係る各種信号処理と、本実施形態の移動体通信端末２における各部の制御や各種信号処理を行う。なお、ＣＤＭＡモデムプロセッサ２０は、本発明にかかる制御部に相当する。また、ＣＤＭＡモデムプロセッサ２０は、本発明にかかる操作検出部の機能とトラフィック量計測部の機能をも有している。
【００４９】
ＲＦデバイス２１は、本発明の網通信部に相当し、携帯電話基地局との間で無線通信を行うためのアンテナや、信号の変復調等を行うための各種回路部からなる。当該ＲＦデバイス２１は、ＣＤＭＡモデムプロセッサ２０と専用コントロールラインを通じて接続されている。ＲＦデバイス２１とＣＤＭＡモデムプロセッサ２０との間の送受信データのやり取りや、ＣＤＭＡモデムプロセッサ２０によるＲＦデバイス２１の制御は、当該専用コントロールラインを通じて行われる。
【００５０】
ＬＣＤ部２５は、移動体通信端末に設けられた表示によるユーザインターフェースデバイスであり、液晶ディスプレイとその液晶ディスプレイを駆動する回路とからなる。なお、本実施形態では液晶ディスプレイを例示しているが、例えば有機ＥＬ（ElectroLuminescent）等のディスプレイであってもよい。上記ＬＣＤ部２５は、ＥＢＩ（External Bus Interface）１バスを介してＣＤＭＡモデムプロセッサ２０に接続されている。ＬＣＤ部２５とＣＤＭＡモデムプロセッサ２０との間のデータのやり取りや、ＣＤＭＡモデムプロセッサ２０によるＬＣＤ部２５の制御は、当該ＥＢＩ１バスを介して行われる。
【００５１】
ＮＡＮＤメモリ２６は、ＣＤＭＡモデムプロセッサ２０が各種信号処理や各部を制御するためのプログラム、ＣＤＭＡモデムプロセッサ２０が実行する本発明実施形態の通信制御プログラム、各種の初期設定値、その他様々なデータを格納している。当該ＮＡＮＤメモリ２６は、ＥＢＩ１バスを介してＣＤＭＡモデムプロセッサ２０に接続されている。ＮＡＮＤメモリ２６とＣＤＭＡモデムプロセッサ２０との間のデータのやり取りや、ＣＤＭＡモデムプロセッサ２０によるＮＡＮＤメモリ２６の制御は、当該ＥＢＩ１バスを介して行われる。
【００５２】
ＳＤＲＡＭメモリ２７は、送受信データを含む各種データを一時的に蓄積するバッファメモリと、ＣＤＭＡモデムプロセッサ２０の作業領域として随時データを格納するためのワークメモリとなされている。また、当該ＳＤＲＡＭメモリ２７は、ＥＢＩ２バスを介してＣＤＭＡモデムプロセッサ２０に接続されている。ＳＤＲＡＭメモリ２７とＣＤＭＡモデムプロセッサ２０との間のデータのやり取りや、ＣＤＭＡモデムプロセッサ２０によるＳＤＲＡＭメモリ２７の制御は、当該ＥＢＩ２バスを介して行われる。
【００５３】
近距離無線通信モジュール２２は、前述のブルートゥース等の近距離無線通信を行うためのアンテナや信号の変復調等を行うための各種回路部からなる。当該近距離無線通信モジュール２２はＣＤＭＡモデムプロセッサ２０により制御される。なお、近距離無線通信モジュール２２はＨＣＩ（Host Controller Interface）  ＵＡＲＴ（Universal Asynchronous Receiver Transmitter）によりＣＤＭＡモデムプロセッサ２０に接続されている。近距離無線通信モジュール２２とＣＤＭＡモデムプロセッサ２０との間のデータのやり取りや、ＣＤＭＡモデムプロセッサ２０による近距離無線通信モジュール２２の制御は、当該ＨＣＩ  ＵＡＲＴを通じて行われる。なお、近距離無線通信モジュール２２は、本発明の近距離無線通信部に相当する。
【００５４】
クロック部２３は、例えば現在日時等の情報を発生し、また、前述のポップアップ表示タイマＰＴの時間カウントを含む各種の時間計測を行う。このクロック部２３からの時間の情報はＣＤＭＡモデムプロセッサ２０へ送られる。
【００５５】
ＵＳＢ部２４は、いわゆるＵＳＢ（Universal Serial Bus）の外部端子と信号処理回路とからなる。
【００５６】
その他、図３では図示を省略しているが、本発明実施形態の移動体通信端末２は、一般的な携帯電話端末に設けられている各種構成要素についても備えている。
【００５７】
［移動体通信端末の動作フロー］
図４には、上述したような利用者が意図しないデータ通信の発生を防止可能とした本発明実施形態の移動体通信端末２の動作フローチャートを示す。なお、この図４のフローチャートは、ＮＡＮＤメモリ２６の通信制御プログラムをＣＤＭＡモデムプロセッサ２０が実行することにより行われる主要な処理を示している。
【００５８】
ＣＤＭＡモデムプロセッサ２０は、近距離無線通信モジュール２２を通じて接続されたパーソナルコンピュータ２が携帯電話基地局を介して外部ネットワークとデータ通信するためのプログラムが起動すると、図４のフローチャートの処理をスタートさせる。
【００５９】
図４のフローチャートの処理がスタートすると、ＣＤＭＡモデムプロセッサ２０は、ステップＳ１の処理として、近距離無線通信モジュール２２とパーソナルコンピュータ１との間のデータ通信によるデータトラフィック量のモニタリングを開始する。
【００６０】
また、ＣＤＭＡモデムプロセッサ２０は、ステップＳ２の処理として、前記「＋ＣＫＰＤ」のＡＴコマンドの受信状態に移行する。またこの時のＣＤＭＡモデムプロセッサ２０は、ステップＳ３の処理として、当該「＋ＣＫＰＤ」のＡＴコマンドの受信が所定の一定期間（Ｔ）無いか否かチェックする。そして、ＣＤＭＡモデムプロセッサ２０は、ステップＳ３にて「＋ＣＫＰＤ」のＡＴコマンドの受信が一定期間（Ｔ）無いと判定すると、ステップＳ４の処理として、「＋ＣＫＰＤ」のＡＴコマンドの受信が無いことを確認した後、ステップＳ５へ処理を進める。
【００６１】
ステップＳ５の処理に進むと、ＣＤＭＡモデムプロセッサ２０は、近距離無線通信モジュール２２を通じて接続されたパーソナルコンピュータ２との間のデータトラフィック量が前記一定トラフィック量ＴＲを下回ったか否か判定する。ＣＤＭＡモデムプロセッサ２０は、上記データトラフィック量が一定トラフィック量ＴＲを下回っていない間は、ステップＳ２へ処理を戻し、一定トラフィック量ＴＲを下回った時にステップＳ６へ処理を進める。
【００６２】
ステップＳ６の処理に進むと、ＣＤＭＡモデムプロセッサ２０は、ＬＣＤ部２５の画面上に前述の図２に示したようなポップアップメッセージを表示させる。
【００６３】
また同時に、ＣＤＭＡモデムプロセッサ２０は、前記ポップアップ表示タイマＰＴを起動させる。そして、ＣＤＭＡモデムプロセッサ２０は、ステップＳ７の処理として、上記ポップアップ表示タイマＰＴが満了する前に、利用者から上記ポップアップメッセージ内の「ＮＯ」への指示入力が有ったか否か判定する。ＣＤＭＡモデムプロセッサ２０は、上記ポップアップメッセージ内の「ＮＯ」への指示入力が無い間はステップＳ２へ処理を戻し、一方、当該指示入力が有ったときにはステップＳ８へ処理を進める。
【００６４】
ステップＳ８の処理に進むと、ＣＤＭＡモデムプロセッサ２０は、利用者が接続を切り忘れたと判断し、ステップＳ９の処理として、ＣＤＭＡエアーインターフェースと近距離無線通信の両方の接続を切断して通信を終了させる。
【００６５】
［トラフィックアクティビティの監視動作］
図５には、移動体通信端末２内で上記トラフィックアクティビティを監視する際の動作例を示す。なお、この図５の例は、移動体通信端末２のバッファメモリ（ＳＤＲＡＭメモリ２７）内におけるデータの管理及び移動を模式的に示している。
【００６６】
移動体通信端末２のＣＤＭＡモデムプロセッサ２０は、パーソナルコンピュータ１からの送信データを送信キューに追加する。そして、所定の送信タイミングになった時、ＣＤＭＡモデムプロセッサ２０は、当該送信キューからパケット単位でデータを取り出し、ＣＤＭＡエアーインターフェースにて送出させる。なお、送信キューとは、一定個数のパケットを一旦整列させ、所定の送信タイミングになった時に上記整列順に各パケットを送出するためのバッファ領域である。また、この時の所定の送信タイミングは、ＴＣＰフレームの送信タイミングである。
【００６７】
一方、ＣＤＭＡモデムプロセッサ２０は、外部ネットワーク（基地局）からの受信データを、ＣＤＭＡエアーインターフェースにて受信し、受信キューに追加する。そして、所定の転送タイミングになった時、ＣＤＭＡモデムプロセッサ２０は、当該受信キューからパケット単位でデータを取り出し、近距離無線通信モジュール２２を通じてパーソナルコンピュータ２へ転送する。なお、受信キューとは、一定個数のパケットを一旦整列させ、所定の転送タイミングになった時に上記整列順に各パケットを送出するバッファ領域である。また、この時の所定の転送タイミングは、ＴＣＰフレームの転送タイミングである。
【００６８】
本実施形態では、ＣＤＭＡモデムプロセッサ２０が、上記送信キューと受信キューに追加されるデータの総数を管理することにより、トラフィック量がどの程度発生しているのかを把握している。そして、ＣＤＭＡモデムプロセッサ２０は、実際に発生したデータトラフィック量と、予め決められた前記一定トラフィック量ＴＲ（閾値）とを比較し、上記データトラフィック量が一定トラフィック量ＴＲを下回ったか否か判断する。
【００６９】
［パーソナルコンピュータと移動体通信端末と基地局間の通信シーケンス］
図６と図７には、本実施形態の移動体通信端末２とパーソナルコンピュータ１との間の近距離無線通信を介した通信シーケンスと、移動体通信端末２と外部ネットワーク（基地局３）との間のＣＤＭＡエアーインターフェースによる通信シーケンスの概要を示す。
【００７０】
図６は、移動体通信端末２において、ユーザアクティビティとトラフィックアクティビティが共に無いと判定された後、前記ポップアップメッセージの「ＮＯ」への指示入力が、ポップアップ表示タイマＰＴの満了までなかった場合のシーケンス例を示している。なお、この図６では、ユーザアクティビティとトラフィックアクティビティが共に無い時にはパーソナルコンピュータ１からの送信データが破棄される場合を挙げている。また、図６の例では、移動体通信端末２がＣＤＭＡエアーインターフェースにて接続されている場合（アクティブ状態の場合）を挙げている。
【００７１】
この図６において、ユーザアクティビティが無いと判断され且つトラフィックアクティビティも無いと判断された場合、移動体通信端末２は、パーソナルコンピュータ１から近距離無線通信を通じて送信データが送信（Ａ１，Ａ３）されてきたとしても、それら送信データを例えば破棄（Ａ２，Ａ４）する。またこの時の移動体通信端末２は、前記ポップアップメッセージの「ＮＯ」への指示入力の有無を監視しつつ、ポップアップ表示タイマーＰＴが満了したか監視（Ａ５）している。
【００７２】
そして、移動体通信端末２は、ポップアップメッセージの「ＮＯ」への指示入力が無く且つポップアップ表示タイマＰＴが満了した場合、パーソナルコンピュータ１との間の近距離無線通信を切断（Ａ６）する。また同時に、移動体通信端末２は、ＣＤＭＡエアーインターフェースによる接続を切断（Ａ７）する。
【００７３】
図７は、本実施形態の移動体通信端末２においてユーザアクティビティが無く且つトラフィックアクティビティも無いと判定された後、図２のポップアップメッセージの「ＮＯ」への指示入力がなされた場合のシーケンス例を示している。なお、この図７では、ユーザアクティビティが無く且つトラフィックアクティビティも無い時には、パーソナルコンピュータ１からの送信データが破棄され、また、移動体通信端末２が休眠状態となっている場合を挙げている。
【００７４】
この図７において、ユーザアクティビティが無いと判断され且つトラフィックアクティビティも無いと判断された場合、移動体通信端末２は、パーソナルコンピュータ１から近距離無線通信を通じて送信データが送信（Ａ１１，Ａ１３）されてきたとしても、それら送信データを例えば破棄（Ａ１２，Ａ１４）する。また、この時の移動体通信端末２は、図２に示したポップアップメッセージの「ＮＯ」への指示入力の有無を監視（Ａ１５）している。
【００７５】
一方、ポップアップメッセージの「ＮＯ」への指示入力が有った後、近距離無線通信を通じてパーソナルコンピュータ１からデータが送信（Ａ１６）されてきた場合、移動体通信端末２は、休眠状態を解除し、ＣＤＭＡエアーインターフェースによる接続（Ａ１７）を確立する。
【００７６】
これにより、上記ポップアップメッセージの「ＮＯ」への指示入力がなされた後にパーソナルコンピュータ１から送信（Ａ１６）されてきた送信データは、移動体通信端末２から基地局３側へ送信（Ａ１８）されることになる。
【００７７】
［移動体通信端末の他の動作フロー例］
前述した実施形態では、ユーザアクティビティとトラフィックアクティビティの両方を用いてポップアップメッセージの表示とポップアップ表示タイマの起動を制御する例を挙げたが、例えばユーザアクティビティのみを用いた制御であってもよい。
【００７８】
図８には、ユーザアクティビティのみを用いてポップアップメッセージの表示とポップアップ表示タイマの起動を制御する場合の移動体通信端末２の動作フローチャート例を示す。なお、この図８のフローチャートも図４の例と同様に、ＮＡＮＤメモリ２６の通信制御プログラムをＣＤＭＡモデムプロセッサ２０が実行することにより行われる処理である。
【００７９】
ＣＤＭＡモデムプロセッサ２０は、近距離無線通信モジュール２２を通じて接続されたパーソナルコンピュータ２が携帯電話基地局を介して外部ネットワークとデータ通信するためのプログラムが起動すると、この図７の例のフローチャートの処理をスタートさせる。
【００８０】
図８のフローチャートの処理がスタートすると、ＣＤＭＡモデムプロセッサ２０は、ステップＳ１１の処理として、近距離無線通信モジュール２２とパーソナルコンピュータ１との間のデータ通信を実行する。
【００８１】
また、ＣＤＭＡモデムプロセッサ２０は、ステップＳ１２の処理として、「＋ＣＫＰＤ」のＡＴコマンドの受信状態に移行する。またこの時のＣＤＭＡモデムプロセッサ２０は、ステップＳ１３の処理として、当該「＋ＣＫＰＤ」のＡＴコマンドの受信が所定の一定期間（Ｔ）無いか否かチェックする。そして、ＣＤＭＡモデムプロセッサ２０は、ステップＳ１３にて「＋ＣＫＰＤ」のＡＴコマンドの受信が一定期間（Ｔ）無いと判定すると、ステップＳ１４の処理として、「＋ＣＫＰＤ」のＡＴコマンドの受信が無いことを確認した後、ステップＳ１５へ処理を進める。
【００８２】
ステップＳ１５の処理に進むと、ＣＤＭＡモデムプロセッサ２０は、ＬＣＤ部２５の画面上に前述の図２に示したようなポップアップメッセージを表示させる。
【００８３】
また同時に、ＣＤＭＡモデムプロセッサ２０は、前記ポップアップ表示タイマＰＴを起動させる。そして、ＣＤＭＡモデムプロセッサ２０は、ステップＳ１６の処理として、上記ポップアップ表示タイマＰＴが満了する前に、利用者から上記ポップアップメッセージ内の「ＮＯ」への指示入力が有ったか否か判定する。ＣＤＭＡモデムプロセッサ２０は、上記ポップアップメッセージ内の「ＮＯ」への指示入力が無い間はステップＳ１２へ処理を戻し、一方、当該指示入力が有ったときにはステップＳ１７へ処理を進める。
【００８４】
ステップＳ１７の処理に進むと、ＣＤＭＡモデムプロセッサ２０は、利用者が接続を切り忘れたと判断し、ステップＳ１８の処理として、ＣＤＭＡエアーインターフェースと近距離無線通信の両方の接続を切断して通信を終了させる。
【００８５】
［その他の例］
パーソナルコンピュータ１が移動体通信端末２を経由してデータ通信を実行している際には、即座に通信を終了したくなるケースが存在する。すなわち、そのようなケースとしては、例えば不用意に大きなデータサイズのダウンロードを開始してしまった場合や、ウイルスなどにより不正なファイルのダウンロードが始まってしまった場合などが想定される。このような場合、パーソナルコンピュータ１と移動体通信端末２との間を例えばＵＳＢケーブルなどにより接続してデータ通信が行われている場合には、即座に当該ケーブルを抜くなどの処理をすることにより、上述のような状況を回避することが可能である。しかしながら、ブルートゥース接続などの近距離無線通信の場合は、パーソナルコンピュータ１側を操作して接続を切断するか、或いは移動体通信端末２側を操作して接続を切断することになり、実際に切断処理が完了するまでに若干の時間が必要であることが想定される。特に、ＣＤＭＡエアーインターフェースで接続されているような場合、そのデータ転送速度は最大で３．１Ｍｂｐｓであり、切断が数秒遅れただけでも多額の通信費用が発生することになる。
【００８６】
本実施形態では、このようなケースに対処可能とするために、「＋ＣＫＰＤ」のＡＴコマンドに対して、パーソナルコンピュータ１上の特定のキーを予め割り当てておく。そして、その特定のキーが押下されたことを移動体通信端末２が受信した時、当該端末２のディスプレイ上に例えば図９に示すようなポップアップメッセージを表示させる。
【００８７】
この図９に例示したポップアップメッセージは、画面１０上に例えば「切断しても宜しいでしょうか？」等のメッセージと、利用者が切断を望む場合に、移動体通信端末２上の所定キーの押下操作等にて指示入力される「ＯＫ」のソフトキー１２が配されたものとなされる。そして、上記「ＯＫ」への指示入力が利用者からなされた場合、移動体通信端末２は、ＣＤＭＡエアーインターフェースによる接続を即座に切断する。
【００８８】
この例によれば、パーソナルコンピュータ１側の特定キーの操作により、移動体通信端末２側にポップアップメッセージを表示させると共に上記「ＯＫ」のソフトキーによる操作入力が可能となされる。したがってこの例によれば、不用意なダウンロードが開始された場合でも即座に通信を停止することが可能となり、不本意な課金を最小限に抑えることが可能となる。
【００８９】
［まとめ］
以上説明したように、本実施形態によれば、パーソナルコンピュータ１が近距離無線通信により移動体通信端末２と接続され、当該端末２を経由して外部ネットワークとデータ通信を行うような場合において、利用者が意図しない不必要な課金の発生を防止することができる。
【００９０】
上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【図面の簡単な説明】
【００９１】
【図１】本発明実施形態の移動体通信システムの概略的な構成例を示すブロック図である。
【図２】ユーザアクティビティが無く且つトラフィックアクティビティが無いと判断された場合に移動体通信端末の画面上に表示されるポップアップメッセージの一例を示す図である。
【図３】本実施形態の移動体通信端末の主要部の概略構成を示すブロック回路図である。
【図４】利用者が意図しないデータ通信の発生を防止可能とした本発明実施形態の移動体通信端末の動作フローチャートである。
【図５】移動体通信端末内でトラフィックアクティビティを監視する際の動作例の説明に用いる図である。
【図６】本実施形態の移動体通信システムの通信シーケンスのうち、ユーザアクティビティとトラフィックアクティビティが共に無く、ポップアップメッセージの「ＮＯ」への指示入力がポップアップ表示タイマの満了までなかった場合のシーケンス図である。
【図７】本実施形態の移動体通信システムの通信シーケンスのうち、ユーザアクティビティとトラフィックアクティビティが共に無く、ポップアップメッセージの「ＮＯ」への指示入力がなされた場合のシーケンス図である。
【図８】ユーザアクティビティのみを用いてポップアップメッセージの表示とポップアップ表示タイマの起動を制御する場合の移動体通信端末の動作フローチャートである。
【図９】データ通信開始後に即座に通信を切断する特定のキー操作がパーソナルコンピュータにて行われた場合に移動体通信端末の画面上に表示されるポップアップイメージの一例を示す図である。
【符号の説明】
【００９２】
１  パーソナルコンピュータ、２  移動体通信端末（携帯電話端末）、３  携帯電話基地局（外部ネットワーク）、１０  ポップアップイメージの表示画面、１１  「ＮＯ」のソフトキー、１２  「ＯＫ」のソフトキー、２０  ＣＤＭＡモデムプロセッサ、２１  ＲＦデバイス、２２、近距離無線通信モジュール、２３  クロック部、２５  ＵＳＢ部、２５  ＬＣＤ部、２６  ＮＡＮＤメモリ、２７  ＳＤＲＡＭメモリ
【図１】
2010021723.tif 000003
【図２】
2010021723.tif 000004
【図３】
2010021723.tif 000005
【図４】
2010021723.tif 000006
【図５】
2010021723.tif 000007
【図６】
2010021723.tif 000008
【図７】
2010021723.tif 000009
【図８】
2010021723.tif 000010
【図９】
2010021723.tif 000011